(57)【要約】【課題】登録されているフォーマット登録画像と両面原稿を効率良くフォーマット登録合成する。【解決手段】両面原稿１０２，１０３の場合は原稿を横セットで読み取らせる場合は画像回転角度を設定する必要がないので、画像回転をさせることなく、第１面画像を合成して合成画像１０６を得ることができる。原稿を縦セットで読み取らせる場合は画像回転角度を１８０度にテンキーによって設定することにより、１８０度画像回転させて第１面画像を合成し、合成画像１０６、１０７を得ることができる。両面原稿１０４，１０５の両面原稿に対しても同様に、原稿を横セットで読み取らせる場合には画像回転角度を１８０度に設定し、原稿を縦セットで読み取らせる場合には画像回転角度を０度に設定して第１面画像を合成し、合成画像１０８、１０９を得ることができる。【選択図】        図１０
2004214728.tif 000002
【特許請求の範囲】
【請求項１】
原稿を搬送する原稿搬送装置と、搬送手段によって搬送された原稿を読み取る読み取り手段と、読み取った画像を記憶する記憶手段と、読み取った原稿をそのまま、あるいは一旦前記記憶手段に記憶し、記憶された画像データに基づいて記録媒体に画像を形成する作像手段とを備えた画像形成装置において、
前記記憶手段に登録されているフォーマット画像と前記読み取り手段によって読み取った両面原稿画像のそれぞれの面の画像を重ね合わせ、前記作像手段により前記記録媒体に合成画像を形成させる制御手段を備えていることを特徴とする画像形成装置。
【請求項２】
前記制御手段は、
登録されているフォーマット画像と両面原稿の第１面画像、フォーマット画像と両面原稿の第２面画像及び、２枚目以降の両面原稿画像と重ね合わせて画像形成する際に、前記記録媒体の片面に合成画像を形成することを特徴とする請求項１記載の画像形成装置。
【請求項３】
前記制御手段は、
登録されているフォーマット画像と両面原稿の第１面画像、フォーマット画像と両面原稿の第２面画像及び、２枚目以降の両面原稿画像と重ね合わせて画像形成する際に、前記記録媒体の両面に合成画像をそれぞれ形成することを特徴とする請求項１記載の画像形成装置。
【請求項４】
登録されているフォーマット画像と両面原稿の第１面画像、フォーマット画像と両面原稿の第２面画像及び、２枚目以降の両面原稿画像と重ね合わせて画像形成する際に、第１面画像若しくは第２面画像を回転して合成するための画像回転角度を設定する設定手段をさらに備えていることを特徴とする請求項１ないし３のいずれか１項に記載の画像形成装置。
【請求項５】
前記制御手段は、
登録されているフォーマット画像と両面原稿の第１面画像、フォーマット画像と両面原稿の第２面画像及び、２枚目以降の両面原稿画像と重ね合わせて画像形成する際に、前記設定手段により設定された画像回転角度分、表面画像を回転させて裏面画像と重ね合わせ、画像形成させることを特徴とする請求項４記載の画像形成装置。
【請求項６】
前記制御手段は、
登録されているフォーマット画像と両面原稿の第１面画像、フォーマット画像と両面原稿の第２面画像及び、２枚目以降の両面原稿画像と重ね合わせて画像形成する際に、前記設定手段により設定された画像回転角度分、裏面画像を回転させて裏面画像と重ね合わせ、画像形成することを特徴とする請求項４記載の画像形成装置。
【発明の詳細な説明】
【０００１】
【発明の属する技術分野】
本発明は、デフォールトと画像を合成する登録フォーマット画像合成機能を有する画像形成装置に係り、特に、両面原稿からフォーマット画像合成を行うことができる画像形成装置に関する。
【０００２】
【従来の技術】
デジタル画像形成装置では、読み取った原稿画像を編集する色々な機能が存在する。また、近年、環境資源の問題で、デフォルトを両面コピーとしてコピーの消費量を抑える機能も存在する。つまり、逆に言えば、両面コピーが以前よりも増えつつある。こうした状況で、原稿として両面原稿が増えつつあることも事実である。
【０００３】
一方、複数原稿を画像合成してコピーする合成機能は現状機械でも搭載されており、デジタルならではの機能として使用されている。この機能は、片面原稿２枚を合成する２枚合成機能、１枚目原稿と２枚目以降の原稿画像を合成する１枚目フォーマット合成機能等である。また、ある原稿画像をフォーマット登録画像として画像形成装置自体に保存し、この保存したフォーマット登録画像と原稿画像を合成するフォーマット登録合成機能も知られている。
【０００４】
また、画像合成とは少し異なった集約コピーでは、両面原稿を片面に集約コピーする機能が特許文献１に開示されている。
【０００５】
【特許文献１】
特開平５−３４７７０１号公報
【０００６】
【発明が解決しようとする課題】
しかし、現状のフォーマット登録合成では合成する原稿が片面のみと限定されており両面原稿に対してフォーマット登録合成を実施することはできなかった。そのため、原稿自動搬送装置（ＡＤＦ）が搭載されていても両面原稿として処理することはできず、片面ずつ合成コピーするしか方法がなかった。
【０００７】
そこで、本発明は、フォーマット登録画像として機械に保存したフォーマット登録画像と両面原稿をフォーマット登録合成することができる画像形成装置を提供することにある。さらに、他の目的は、前記両面原稿の合成コピーを効率良く行うことができる画像形成装置を提供することにある。
【０００８】
【課題を解決するための手段】
前記目的を達成するため、第１の手段は、原稿を搬送する原稿搬送装置と、搬送手段によって搬送された原稿を読み取る読み取り手段と、読み取った画像を記憶する記憶手段と、読み取った原稿をそのまま、あるいは一旦前記記憶手段に記憶し、記憶された画像データに基づいて記録媒体に画像を形成する作像手段とを備えた画像形成装置において、前記記憶手段に登録されているフォーマット画像と前記読み取り手段によって読み取った両面原稿画像のそれぞれの面の画像を重ね合わせ、前記作像手段により前記記録媒体に合成画像を形成させる制御手段を備えていることを特徴とする。
【０００９】
第２の手段は、第１の手段において、前記制御手段は、登録されているフォーマット画像と両面原稿の第１面画像、フォーマット画像と両面原稿の第２面画像及び、２枚目以降の両面原稿画像と重ね合わせて画像形成する際に、片面に生成する（両面→片面）ことを特徴とする。
【００１０】
第３の手段は、第１の手段において、前記制御手段は、登録されているフォーマット画像と両面原稿の第１面画像、フォーマット画像と両面原稿の第２面画像及び、２枚目以降の両面原稿画像と重ね合わせて画像形成する際に、両面に生成する（両面→両面）ことを特徴とする。
【００１１】
第４の手段は、第１の手段において、既にフォーマット画像として登録されているフォーマット画像と両面原稿の第１面画像、フォーマット画像と両面原稿の第２面画像及び、２枚目以降の両面原稿画像と重ね合わせて画像形成する際に、第１面画像若しくは第２面画像を回転させて合成するための画像回転角度を設定する設定手段をさらに備えていることを特徴とする。
【００１２】
第５の手段は、第４の手段において、前記制御手段は、登録されているフォーマット画像と両面原稿の第１面画像、フォーマット画像と両面原稿の第２面画像及び、２枚目以降の両面原稿画像と重ね合わせて画像形成する際に、前記設定手段により設定された画像回転角度分、表面画像を回転させて裏面画像と重ね合わせ、画像形成させることを特徴とする。
【００１３】
第６の手段は、第４の手段において、前記制御手段は、登録されているフォーマット画像と両面原稿の第１面画像、フォーマット画像と両面原稿の第２面画像及び、２枚目以降の両面原稿画像と重ね合わせて画像形成する際に、前記設定手段により設定された画像回転角度分、裏面画像を回転させて裏面画像と重ね合わせ、画像形成することを特徴とする。
【００１４】
第１の手段によれば、記憶手段に登録されているフォーマット画像と読み取り手段によって読み取った両面原稿画像のそれぞれの面の画像を重ね合わせ、作像手段により記録媒体に合成画像を形成させる制御手段を備えているので、両面原稿でもフォーマット登録画像合成を行うことができる。
【００１５】
第２の手段によれば、既にフォーマット画像として登録されているフォーマット画像と両面原稿の第１面画像、フォーマット画像と両面原稿の第２面画像及び、２枚目以降の両面原稿画像と重ね合わせて画像形成する際に、片面に生成する（両面→片面）ので、原稿が両面原稿の場合でも両面→片面でフォーマット登録合成を行うことができる。
【００１６】
第３の手段によれば、既にフォーマット画像として登録されているフォーマット画像と両面原稿の第１面画像、フォーマット画像と両面原稿の第２面画像及び、２枚目以降の両面原稿画像と重ね合わせて画像形成する際に、両面に生成する（両面→両面）ので、原稿が両面原稿の場合でも両面→両面でフォーマット登録合成を行うことができる。
【００１７】
第４の手段によれば、既にフォーマット画像として登録されているフォーマット画像と両面原稿の第１面画像、フォーマット画像と両面原稿の第２面画像及び、２枚目以降の両面原稿画像と重ね合わせて画像形成する際に、第１面画像若しくは第２面画像を回転させて合成するための画像回転角度を設定する設定手段を備えているので、原稿が両面原稿の場合でも、表裏画像の関係を考慮して画像方向を合致させて合成コピーすることができる。
【００１８】
第５の手段によれば、既にフォーマット画像として登録されているフォーマット画像と両面原稿の第１面画像、フォーマット画像と両面原稿の第２面画像及び、２枚目以降の両面原稿画像と重ね合わせて画像形成する際に、設定手段により設定された画像回転角度分、表面画像を回転させて裏面画像と重ね合わせて画像形成するので、原稿が両面原稿の場合、表面画像の方向を裏面画像方向に合致させて合成コピーすることができる。
【００１９】
第６の手段によれば、既にフォーマット画像として登録されているフォーマット画像と両面原稿の第１面画像、フォーマット画像と両面原稿の第２面画像及び、２枚目以降の両面原稿画像と重ね合わせて画像形成する際に、設定手段により設定された画像回転角度分、裏面画像を回転させて裏面画像と重ね合わせて画像形成するので、原稿が両面原稿の場合、裏面画像の方向を表面画像方向に合致させて合成コピーすることができる。
【００２０】
【発明の実施の形態】
以下、図面を参照し、本発明の実施形態について説明する。
【００２１】
図１は本発明の実施形態に係る画像形成装置の概略図、図２は操作部の概略図、図３は図２のＬＣＤ表示部の概略図、図４はＬＣＤ表示部の子画面の表示状態を示す図、図５は本実施形態に係る画像形成装置の制御構成の概略を示すブロック図、図６はＩＰＵ（５２）の概略構成を示すブロック図、図７は図６の画像処理部（６５）とＭＳＵ（６６）の概略構成を示すブロック図、図８はスキャナで読み込んだ画像データをメモリに格納するときの信号の流れを示す説明図、図９はＨＤＤから画像データを読み込み、メモリに保存し、伸張、変倍をして出力するときの信号の流れを示す説明図、図１０はフォーマット合成の例を示す説明図である。
【００２２】
以下、本実施形態に係る画像形成装置の動作とともに、当該画像形成装置の構成について説明する。
【００２３】
図１において、本実施形態に係る画像形成装置は、自動原稿送り装置（以下、ＡＤＦとも称す）１−１、読み取りユニット１−５０、書き込みユニット１−５７、作像ユニット１−２０、給紙ユニット１−３０及び後処理装置１−１１４から基本的に構成されている。
【００２４】
このような基本構成の画像形成装置では、概略的に次のように動作する。すなわち、ＡＤＦ１−１の原稿台１−２に原稿の画像面を上にして置かれた原稿束は、操作部上のスタートキー２５（図２）が押下されると、一番下の原稿から給送ローラ１−３、給送ベルト１−４によって、コンタクトガラス１−６上の所定の位置に給送される。読み取りユニット１−５０によってコンタクトガラス１−６上の原稿の画像データを読み取った後、読み取りが終了した原稿は、給送ベルト１−４及び排送ローラ１−５によってＡＤＦ１−１上の排原稿トレイに排出される。さらに、原稿セット検知センサ１−７によって原稿台１−２に次の原稿が有ることを検知した場合、前原稿と同様にコンタクトガラス１−６上に給送される。給送ローラ１−３、給送ベルト１−４、排送ローラ１−５は図示しない搬送モータによって駆動される。
【００２５】
給紙ユニット１−３０に設けられた第１トレイ１−８、第２トレイ１−９、第３トレイ１−１０にそれぞれ積載された転写紙は、各々第１給紙装置１−１１、第２給紙装置１−１２、第３給紙装置１−１３によって給紙され、縦搬送ユニット１−１４によって感光体１−１５に当接する位置まで搬送される。
【００２６】
読み取りユニット１−５０によって読み込まれた画像データは、書き込みユニット１−５７からのレーザ光によって感光体１−１５表面に書き込まれ、潜像が形成される。そして、現像ユニット１−２７を通過することによって前記感光体１−１５上の潜像にトナー画像が付着し、顕像が形成される。
【００２７】
そして、転写紙は感光体１−１５の回転と等速で搬送ベルト１−１６によって搬送されながら、感光体１−１５上のトナー像が転写される。その後、定着ユニット１−１７で画像が定着され、排紙ユニット１−１８によって機外に排出される。
【００２８】
転写紙の両面に画像を作像する場合は、各給紙トレイ１−８〜１０から給紙され作像された転写紙を排紙トレイ１−１９側に導かないで、経路切り替えの用の分岐爪１−１１２を上側（図示反時計方向に回動）にセットすることにより、一旦両面給紙ユニット１−１１１にストックする。その後、両面給紙ユニット１−１１１にストックされた転写紙は再び感光体１−１５に作像されたトナー画像を転写するために、両面給紙ユニット１−１１１から再給紙され、先に画像が形成された面と同様の動作によって画像が形成され、定着動作を終えた後、前記分岐爪１−１１２が下側（時計方向に回動）にセットし、排紙される。その際、後処理装置１−１１４を使用するモードがセットされている場合は分岐爪１−１１３を上側（図示反時計方向に回動）にセットすることによって後処理装置１−１１４に転写紙を排紙し、後処理装置を使用しないモードの場合は前記分岐爪１−１１３を下側（図示時計方向に回動）にセットすることにより、排紙トレイ１−１９に画像形成済みの転写紙を導く。このように転写紙の両面に画像を作成する場合に両面給紙ユニット１−１１１は使用される。
【００２９】
また、以下のようにして原稿を読み取り、感光体上に潜像が形成される。なお、ここでいう潜像とは感光体面上に画像を光情報に変換して照射することにより生じる電位分布のことである。
【００３０】
読み取りユニット１−５０は、原稿を載置するコンタクトガラス１−６と光学走査系で構成されており、光学走査系には、露光ランプ１−５１、第１ミラー１−５２、レンズ１−５３、ＣＣＤイメージセンサ１−５４等々で構成されている。露光ランプ１−５１及び第１ミラー１−５２は図示しない第１キャリッジ上に固定され、第２ミラー１−５５及び第３ミラー１−５６は図示しない第２キャリッジ上に固定されている。原稿像を読み取る時には、光路長が変わらないように、第１キャリッジ第２キャリッジとが２対１の相対速度で機械的に走査される。この光学走査系は、図示しないスキャナ駆動モータにて駆動される。原稿画像は、ＣＣＤイメージセンサ１−５４によって読み取られ、電気信号に変換されて処理される。
【００３１】
書き込みユニット１−５７はレーザ出力ユニット１−５８、結像レンズ１−５９、ミラー１−６０で構成され、レーザ出力ユニット１−５８の内部には、レーザ光源であるレーザダイオード及びモータによって高速で定速回転する回転多面鏡（ポリゴンミラー）が備わっている。
【００３２】
レーザ出力ユニット１−５８より照射されるレーザ光は、定速回転するポリゴンミラーで偏向され、結像レンズ１−５９を通り、ミラー１−６０で折り返され、感光体面上に集光結像する。 偏向されたレーザ光は感光体１−１５が回転する方向と直交する方向（主走査方向）に露光走査され、後述する画像処理部のセレクタ７Ｂより出力された画像信号のライン単位の記録を行う。感光体１−１５の回転速度と記録密度に対応した所定の周期で主走査を繰り返すことによって、感光体面上に画像（静電潜像）が形成される。
【００３３】
上述のように、書き込みユニット１−５７から出力されるレーザ光が、画像作像系の感光体１−１５に照射される。図示しないが感光体１−１５の一端近傍のレーザビームを照射される位置に、主走査同期信号を発生するビームセンサ（同期検知センサ）が配されている。このビームセンサによって検出された主走査同期信号に基づいて、主走査方向の画像記録開始タイミングの制御、および後述する画像信号の入出力を行うための制御信号が生成される。
【００３４】
図２に示すように、操作部２０には、液晶タッチパネル２１、テンキー２２、クリア／ストップキー２６、プリントキー２５、モードクリアキー２４が設けられ、液晶タッチパネル２１には、図３に示すように、各モード機能キー３１，３２，３３，３４，３５，３６，３７，３８，３９，３１０，３１１，３１２、部数設定キー３１５，３１６、倍率設定キー３１７及び画像形成装置の状態３１４を示すメッセージなどが表示されると同時に各画像形成モードを設定、解除する場合に操作するモードキーが配置されている。なお、これらのキーの中で、後述の登録フォーマット合成キー（両面原稿合成キー）３１０が本発明に特に関連することになる。
【００３５】
図５にメインコントローラ（ＭＣＵ）５１を中心に、本実施形態に係る画像形成装置の制御装置を示す。ＭＣＵ５１は画像形成装置全体を制御するもので、ＭＣＵ５１には、オペレータに対する表示、オペレータからの機能設定入力制御を行う操作部５３、スキャナの制御、原稿画像を画像メモリに書き込む制御、画像メモリからの作像を行う制御等を行う画像処理ユニット（ＩＰＵ）５２、原稿自動送り装置（ＡＤＦ）５７、後処理制御装置であるソータ５８等の分散制御装置が接続されている。各分散制御装置とＭＣＵ５１は必要に応じて機械の状態、動作司令のやりとりを行っている。また、紙搬送等に必要なメインモータ、各種クラッチもＩ／Ｏボード５６に接続されており、ＭＣＵ５１によって制御され、液晶表示部５４（２１）には操作部５３から表示情報が入力され、各種キー５５からは各キーに設定された機能に関する情報が入力される。
【００３６】
画像処理ユニット（ＩＰＵ）５２の構成の詳細を図６に示す。ＩＰＵ５２はＣＰＵ６７、第１及び第２の画像処理部６４，６５、シェーディング補正部６３、制御プログラムが格納されたＲＯＭ６９及びＣＰＵ６７のワークエリアとして機能するとともにＣＰＵ６７が処理すべきデータを記憶するＲＡＭ６８から基本的に構成され、前記シェーディング補正部６３には、ＣＣＤイメージセンサ６１（１−５４）とＡ／Ｄコンバータ６２が接続され、ＣＣＤイメージセンサ６１の読み取りデータをＡ／Ｄ変換したデジタルデータが入力される。
【００３７】
具体的な処理としては、露光ランプ１−５１から照射された光は原稿面を照射し、原稿面からの反射光をＣＣＤイメージセンサ１−５４（６１）によって結像レンズ（図示せず）により結像し、受光して光電変換し、Ａ／Ｄコンバータ６２でデジタル信号に変換する。デジタル信号に変換された画像信号は、シェーディング補正部６３でシェーディング補正がなされた後、第１の画像処理部６４でフィルタ補正、変倍色データ膨張、γ補正等の画像処理が行われる。第２の画像処理部６５では、画像信号の送り先を、画像メモリコントローラ（ＭＳＵ）６６または書き込みユニット６１０（１−５７）への切り替えが行われる。画像メモリコントローラ（ＭＳＵ）６６と第２の画像処理部６５は、双方向に画像信号を入出力可能な構成となっている。図６には特に明示していないが、画像処理部（ＩＰＵ）には、読み取り部１−５０から入力される画像データ以外にも外部から供給される画像データ（例えばパーソナルコンピュータ等のデータ処理装置から出力されるデータ）も処理できるよう、複数データの入出力選択を行う機能を有している。
【００３８】
ＣＰＵ６７は画像メモリコントローラ６６等への設定や、読み取り部１−５０、書き込み部１−５７の制御を行うとともに、画像メモリコントローラ６６を介して、画像メモリ８３へのデータの書き込み、画像メモリ８３からの読み出しも行う。
【００３９】
図７は図６における第２の画像処理部６５の詳細を示すブロック図である。第２の画像処理部６５は、スキャナマスク部７１、色変換部７２、色消去部７３、ビット反転部７４、印字合成部７５、印字コア部７６、ＲＯＭ７７、ＲＡＭ７８、ＭＳＵ合成部、画像メモリコントローラ（ＭＳＵ）７１０、画像データ選択部７１１及び画質コア部７１２からなる。
【００４０】
この第２の画像処理部６５では、第１の画像処理部６４で画像処理された画像データを読み込む時に、領域をマスクするスキャナマスク部７１を介してモードに応じて色変換が必要な場合は、色変換部７２で色変換処理、色消去部７３で色消去処理、ビット（画像）反転部７４で画像反転処理、印字合成部７５でページや、日付け、特殊文字等の印字合成処理を行って画像データを無条件にＭＳＵ７１０に保存する。印字コア部７６はページ印字のページを作成したり、スタンプ文字等、文字コードを取り出し印字を作成し、印字イメージデータを発生する装置である。ＲＯＭ７７、ＲＡＭ７８は印字制御に関与している。また、画像データ選択部７１１は、前記スキャナマスク部７１から印字合成部７５の各処理を施した画像信号をスルーで画質コア部７１２に出力するか、ＭＳＵ７１０からの画像データを画質コア部７１２に出力するか、ＭＳＵ合成部７９で画像処理された画像データに対してＭＳＵ７１０からの画像を合成した画像データを画質コア７１１に出力するかを選択する。
【００４１】
図８は図７における画像メモリコントローラ（ＭＳＵ）７１０と、画像メモリの詳細を示す図である。画像メモリコントローラ７１０は、１次圧縮部８１／伸長部８２、１次画像データの保存メモリであるバンクＡ８４、バンクＢ８５からなる画像メモリＤＲＡＭ８３、２次圧縮／伸長部８６、大容量メモリであるＨＤＤ（ハードディスクドライブ）８７、伸長された登録画像の画像倍率を変更する変倍８８部の各処理部を有し、各処理部への制御データの設定はＣＰＵ６７によって行われる。
【００４２】
画像メモリは、１次および２次記憶装置（８３，８７）からなる。１次記憶装置８３は、メモリの指定した領域へのデータ書き込み、または画像出力時のメモリの指定した領域からのデータ読み出しが画像データの入力／出力時に要求されるデータ転送速度に略同期して行えるように、例えばＤＲＡＭ等の高速アクセスが可能なメモリを使用する。また、１次記憶装置８３は、処理を行う画像データの大きさにより複数のエリアに分割して（この例ではバンクＡ８４，Ｂ８５）画像データの入出力を同時に実行可能な構成（メモリコントローラとのインターフェース部）を有している。
【００４３】
２次記憶装置８７は、入力された画像の合成、ソーティングを行うためにデータを保存しておく大容量のメモリである。２次記憶装置８７においても、前記１次記憶装置８３と同様に、画像入出力時に要求されるデータ転送速度に略同期してデータの書き込み／読み出しが可能である。
【００４４】
次に、画像メモリコントローラ７１０の動作例を説明する。
【００４５】
［１］画像入力（画像メモリへの保存）
図８において、前段までで所定の画像処理が行われ、画像加工された画像データ８Ｖ１は無条件にＭＳＵ合成部７９に供給され、既に画像メモリに保存されているデータとの合成を行う。ＭＳＵ合成部７９によって処理された画像データは読み取り時に画像回転の指示がある場合は回転部８０で画像データを回転させて保存するために、９０度、１８０度、あるいは２７０度と回転された画像データ８Ｖ２を、１次圧縮部８１でデータ圧縮し、圧縮後のデータを１次記憶装置８３に書き込むと同時に２次圧縮／伸長部８６で更に圧縮を行った後にＨＤＤ８７に保存する。なお、参照符号中Ｖを使用した符号は信号を示す。
【００４６】
［２］画像出力（画像メモリからの読み出し）
図９において、画像出力時は、１次記憶装置８３に記憶されている画像データの読み出しを行う。出力対象となる画像が１次記憶装置８３に格納されている場合には、１次伸長部８２で１次記憶装置８３の画像データの伸長を行い、伸長後のデータ９Ｖ４、もしくは伸長後のデータ９Ｖ４と入力データとの画像合成を行った後のデータ９Ｖ６を出力する。この際、変倍部８８で伸長後の画像の倍率を変更可能としている。変倍した後の画像データに対して書き込み時に画像回転部８０の回転指示がある場合は、画像データを９０度、１８０度、２７０度と画像回転し、ＭＳＵ合成部７９は、１次記憶装置８３の画像データと、入力データ８Ｖ１との合成（画像データの位相調整機能を有する）合成後の画像データ９Ｖ５の、出力先の選択（画像出力、１次記憶装置８３へのライトバック、両方の出力先への同時出力も可能）等の処理を行う。出力対象となる画像が１次記憶装置８３に格納されていない場合には、ＨＤＤ８７に格納されている出力対象画像データを２次圧縮／伸長部８６で伸長を行い、伸長後のデータ９Ｖ２を１次記憶装置８３に書き込んでから、以下、上述の画像出力動作を行う。
【００４７】
また、前記で説明した印字モードにおいて、任意のスタンプ用イメージはユーザが必要に応じて登録できるように構成されている。スタンプイメージ登録モードになるとスキャナ（ＣＣＤイメージセンサ６１）からの画像を前記ＨＤＤ８７に登録しておき、後で、ユーザが必要なスタンプイメージを選択すると、このスタンプイメージデータがＨＤＤ８７から読み出されてＭＳＵ合成部７９に送られ、原稿画像と合成される。
【００４８】
本来、原稿画像１枚に対して画像形成枚数が１枚の場合は、あえて画像データを画像メモリに記憶する必要はないが、要求する画像形成枚数が複数部の場合は、毎回スキャンする必要がないこと、及び転写紙ジャム等が発生した場合でも再度原稿を読み込ませる必要がないことを考慮して、スキャンして読み込んだ画像は無条件に画像メモリ８３及びＨＤＤ８７に保存するようになっている。
【００４９】
画像合成の具体例を図１０に示す。図１０で符号１０１で示した画像はＨＤＤ８７に保存されているフォーマット登録画像である。符号１０２，１０３は両面原稿の画像であり、符号１０２は第１面の原稿画像を、符号１０３は第２面の原稿画像をそれぞれ示す。片面原稿から両面コピーする際には２通りの方法があり、表面に対して裏面の画像が同一方向である左右開き両面コピー（１０２，１０３）と表面に対して裏面の画像が１８０度回転している上下開き両面コピー（１０４，１０５）である。両面コピーの方法には上記２通りの方法が存在するため、両面原稿も２通り存在し、図１０の符号１０２の画像に対して符号１０３の画像が左右開き両面原稿、符号１０４の画像に対して符号１０５の画像が上下開き原稿となる。つまり、表面原稿画像に対して左右開きで画像方向が同一の場合が左右開き両面原稿、画像方向を１８０度回転させないと同一にならないのが上下開き両面原稿となる。このような画像方向を前提として両面合成コピーが可能となる。
【００５０】
そこで、ＡＤＦ１−１に原稿をセットした際に、登録フォーマット画像と両面原稿画像を登録フォーマット合成する場合、図３の操作部５３の登録フォーマット合成キー３１０を押下すると、図４（ｂ）の子画面が表示される。また、両面原稿から片面コピーで合成したい場合には、図３の操作部５３で両面キー３１２を押下すると、図４（ａ）の子画面が表示され、この子画面で両面片面キー４１１を押下する。また、両面両面の場合は両面両面キー４１２を押下する。
【００５１】
上述したように図３の操作部５３で登録フォーマット合成キー３１０を押下した場合、図４（ｂ）で第１面と第２面の画像回転キー４２１，４２２がソフトキーとして表示される。そこで、原稿の第１面を画像回転したい場合には第１面画像回転キー４２１を押下し、同じくソフトキーとして表示されるテンキー４２３を押下して画像回転角度を設定する。このように操作部５３でキー操作することにより、読み取った第１面原稿画像を画像回転させることができる。また、第２面原稿画像を画像回転させるには第２面画像回転キー４２２を押下し、テンキー４２３によって画像回転角度を設定すれば良い。なお、設定した画像回転角度は回転角表示部４２５に表示され、♯が付された確定キー４を押下することにより画像回転角度が確定する。
【００５２】
両面原稿１０２，１０３の場合は原稿を横セットで読み取らせる場合は画像回転角度を設定する必要がないため、テンキー４２３によって０度を設定することにより、画像回転をさせることなく、第１面画像を合成して合成画像１０６を得ることができる。一方、原稿を縦セットで読み取らせる場合は画像回転角度を１８０度にテンキー４２３によって設定することにより、１８０度画像回転させて第１面画像を合成し、合成画像１０６、１０７を得ることができる。また、両面原稿１０４，１０５の両面原稿に対しても同様に、原稿を横セットで読み取らせる場合には画像回転角度を１８０度に設定することにより、第１面画像を合成して合成画像１０８を得ることができ、原稿を縦セットで読み取らせる場合には画像回転角度を０度に設定することにより、画像回転させずに第１面画像を合成し、合成画像１０８、１０９を得ることができる。
【００５３】
以上のように登録フォーマット画像と両面原稿から登録フォーマット合成画像として合成する場合、第１面画像または第２面画像を指定した画像回転分、画像回転させることにより左右開き両面原稿の場合でも、上下開き原稿の場合でも原稿の状態とセットする方向に基づいて画像回転を行わせることによって登録したフォーマット画像と合成することが可能となる。
【００５４】
また、登録フォーマット画像と両面原稿から登録フォーマット合成画像として両面原稿画像を合成して両面コピーを得る（両面両面コピーの）場合も同様に、両面原稿１０２，１０３の左右開き原稿の場合は原稿を横セットで読み取らせる場合は画像回転角度を設定する必要がないため、０度を設定し、登録フォーマット画像１０１と両面原稿１０２，１０３と登録フォーマット合成することにより第１面が１０６、第２面が１０７の両面合成コピーを得ることができる。２枚目以降の両面原稿に関しても同様である。また、両面原稿１０４，１０５の上下開き原稿の場合は原稿を縦セットで読み取らせる場合は画像回転角度を設定する必要がないため、０度を設定し、登録フォーマット画像１０１と両面原稿１０４，１０５と登録フォーマット合成する事により、第１面が１０８、第２面が１０９の両面合成コピーを得ることができる。
【００５５】
【発明の効果】
以上のように本発明によれば、フォーマット登録画像として機械に保存したフォーマット登録画像と両面原稿をフォーマット登録合成することが可能な画像形成装置を提供することができる。
【００５６】
また、本発明によれば、前記両面原稿の合成コピーを効率良く行うことが可能な画像形成装置を提供することができる。
【図面の簡単な説明】
【図１】本発明の実施形態に係る画像形成装置の概略構成を示す図である。
【図２】図１の画像形成装置の操作部の概略を示す図である。
【図３】図２の操作部のＬＣＤ表示部の概略を示す図である。
【図４】図３のＬＣＤ表示部の子画面の表示状態を示す図である。
【図５】本実施形態に係る画像形成装置の制御構成の概略を示すブロック図である。
【図６】図５のＩＰＵの概略構成を示すブロック図である。
【図７】図６の画像処理部とＭＳＵの概略構成を示すブロック図である。
【図８】はスキャナで読み込んだ画像データをメモリに格納するときの信号の流れを示す説明図である。
【図９】ＨＤＤから画像データを読み込み、メモリに保存し、伸張、変倍をして出力するときの信号の流れを示す説明図である。
【図１０】本実施形態におけるフォーマット合成の例を示す説明図である。
【符号の説明】
１−１  自動原稿送り装置（ＡＤＦ）
１−２０  作像ユニット
１−３０  給紙ユニット
１−５０  読み取りユニット
１−５７  書き込みユニット
１−１１４  後処理装置
５１  ＭＣＵ
５２  ＩＰＵ
５３  操作部
６４  第１の画像処理部
６５  第２の画像処理部
６６  ＭＳＵ
６７  ＣＰＵ
８１  １次圧縮部
８２  １次伸張部
８３  バンクＡ
８４  バンクＢ
８６  ２次圧縮伸張部
８７  ＨＤＤ
【図１】
2004214728.tif 000003
【図２】
2004214728.tif 000004
【図３】
2004214728.tif 000005
【図４】
2004214728.tif 000006
【図５】
2004214728.tif 000007
【図６】
2004214728.tif 000008
【図７】
2004214728.tif 000009
【図８】
2004214728.tif 000010
【図９】
2004214728.tif 000011
【図１０】
2004214728.tif 000012